(57)【要約】【課題】住宅用分電盤の取替え工事の際に，取付け場所における造営材に設けられた開口部から露出している電線の位置にかかわらず，容易に電線の引込み工事を行うことを可能とし，分電盤への電線の引込み作業性をより向上させることができ，なおかつ造営材に電線が直接接触することを防止でき，電気的信頼性をより向上させることができる住宅用分電盤用付属装置を提供すること。【解決手段】筐体の内部に分電用の機器を収納する住宅用分電盤と，該住宅用分電盤を取付ける造営材との間に設けられる住宅用分電盤用付属装置であって，該住宅用分電盤用付属装置には，前記造営材側から住宅用分電盤に電線を引き込む際に妨げにならない範囲に電線を貫通させる開口部が設けられ，該開口部には，引き込んだ電線の一部が，直接造営材に接触することを防止する，造営材への電線接触防止手段が設けられることを特徴として，住宅用分電盤用付属装置を提供した。【選択図】図１
2007215326.tif 000002
【特許請求の範囲】
【請求項１】
筐体の内部に分電用の機器を収納する住宅用分電盤と，該住宅用分電盤を取付ける造営材との間に設けられる住宅用分電盤用付属装置であって，該住宅用分電盤用付属装置には，前記造営材側から住宅用分電盤に電線を引き込む際に妨げにならない範囲に電線を貫通させる開口部が設けられ，該開口部には，引き込んだ電線の一部が，直接造営材に接触することを防止する，造営材への電線接触防止手段が設けられたことを特徴とする造営材への電線接触防止構造を備えた住宅用分電盤用付属装置。
【請求項２】
前記造営材への電線接触防止手段は，前記開口部の周縁部から開口部の略中央部に向かって延設される，複数個の突出部により形成され，各々の突出部同士は所定の間隔を有して形成されていることを特徴とする請求項１記載の造営材への電線接触防止構造を備えた住宅用分電盤用付属装置。
【請求項３】
前記造営材への電線接触防止手段は，前記開口部の周縁部から突出する複数の突出部により構成され，該突出部は，住宅用分電盤用付属装置を造営材に取付けた際に，前記造営材と該突出部との間に絶縁部材を差し込み可能な程度に隙間を設けて形成されていることを特徴とする請求項２乃至請求項３記載の造営材への電線接触防止構造を備えた住宅用分電盤用付属装置。
【発明の詳細な説明】
【技術分野】
【０００１】
本発明は，住宅用等として用いられる分電盤の付属装置に係り，特に，既設分電盤を新しい分電盤に取替える工事の際に用いて配線作業を容易に行うための付属装置に関する。
【背景技術】
【０００２】
負荷機器の増加に伴う分岐回路数の増加や増設，また，住宅用分電盤の耐用年数が経過するなどの理由により，既設の住宅用分電盤を新しい住宅用分電盤に取替える場合には，既に設置されてある住宅用分電盤を一旦取り去り，新しい住宅用分電盤の取り付けを行うこととなる。この際，ほとんどの場合は，既設の住宅用分電盤を取り去った後に造営材に設けられた開口部から露出している従来接続されていた電線をそのまま再利用して用いる施工方法をとっている。
【０００３】
新しい住宅用分電盤に電線を引込む場合，電線の造営材からの露出場所によっては電線の引込みがうまく行えず，電線引込み作業が困難となる場合があった。
【０００４】
通常，分電盤の造営材への取り付け面側（造営材側という）には，分電盤に電線を引込むための開口部が設けられており，初回，造営材に分電盤を取り付ける際には，造営材には該開口部と対応する位置に電線の貫通部となる開口部を設けるように施工する。さて，分電盤取替え工事の際において，造営材の開口部の位置が，従来設置されていた住宅用分電盤の電線引込み用の開口部と，新しい住宅用分電盤の電線引込み用の開口部とが略同一の場所に設けられている場合にはそのまま取替え工事を行うことが可能であるが，造営材に設けられた開口部の位置と，新しい住宅用分電盤の電線引込み用の開口部の位置とが異なる位置に設けられている場合，電線を分電盤に引込む際に，分電盤の造営材側と干渉して物理的に引込みが行えない場合や，造営材側の開口部から分電盤の電線引込み部に電線を延設して曲げ処理などを行う場合に電線に負荷がかかり，接続される接続端子部に必要以上に負荷がかかり，場合によっては端子部の破損につながる場合がある。このような作業性の低下や破損のおそれなどを防止すべく，特許文献１に示したような住宅用分電盤用付属装置が提供されている。
【０００５】
【特許文献１】特願２００５−３５００７４号
【発明の開示】
【発明が解決しようとする課題】
【０００６】
しかしながら，造営材から引き込んだ電線の曲げ処理の状態によっては，電線の一部が造営材に直接接触する場合があり，電気の使用に伴う電線の発熱や，電線に過大な電流が流れるなどの異常時における電線の発熱により造営材が熱による悪影響を受けたり，また，住宅用分電盤用付属装置の開口部付近において造営材から露出している導電性のねじなどがある場合には電線が接触するすることにより絶縁性が低下し電気的な事故が発生するおそれがあるなど，電気的な事故を未然に防止しておく必要があった。
【０００７】
そこで，本発明はこのような課題に鑑みてなされたものであり，
住宅用分電盤の取替え工事の際に，取付け場所における造営材に設けられた開口部から露出している電線の位置，即ち造営材に設けられた開口部の位置にかかわらず，容易に電線の引込み工事を行うことを可能とし，分電盤への電線の引込み作業性をより向上させることができ，なおかつ造営材に電線が直接接触することを防止でき，電気的信頼性をより向上させることができる住宅用分電盤用付属装置を提供することを目的としている。
【課題を解決するための手段】
【０００８】
上記目的を達成するために，請求項１の発明では，筐体の内部に分電用の機器を収納する住宅用分電盤と，該住宅用分電盤を取付ける造営材との間に設けられる住宅用分電盤用付属装置であって，該住宅用分電盤用付属装置には，前記造営材側から住宅用分電盤に電線を引き込む際に妨げにならない範囲に電線を貫通させる開口部が設けられ，該開口部には，引き込んだ電線の一部が，直接造営材に接触することを防止する，造営材への電線接触防止手段が設けられることを特徴として，造営材への電線接触防止構造を備えた住宅用分電盤用付属装置を提供したものである。
【０００９】
このような構成によれば，住宅用分電盤の取替え工事の際に，取付け場所における造営材からの電線の露出位置にかかわらず，容易に電線の引込み工事を行うことができるとともに，電線が造営材に直接接触することを防止することにより電気的信頼性をより向上させることができる造営材への電線接触防止構造を備えた住宅用分電盤用付属装置を提供することができる。
【００１０】
また，前記造営材への電線接触防止手段は，前記開口部の周縁部から開口部の略中央部に向かって延設される，複数個の突出部により形成され，各々の突出部同士は所定の間隔を有して形成されていることを特徴として構成してもよい。
【００１１】
これにより，電線の引込み作業性は損なうことなく，なおかつ，一旦引込まれた電線の曲げ処理状態に関わらず，電線の造営材への直接の接触を防止することができる。
【００１２】
また，前記造営材への電線接触防止手段は，前記開口部の周縁部から突出する複数の突出部により構成され，該突出部は，住宅用分電盤用付属装置を造営材に取付けた際に，前記造営材と該突出部との間に絶縁部材を差し込み可能な程度に隙間を設けて形成されていることを特徴として構成してもよい。
【００１３】
これにより，電線の引込み作業性は損なうことなく，なおかつ，別途絶縁部材を差し込むことで，より電気的な信頼性を向上させることができる。
【発明の効果】
【００１４】
本発明によれば，住宅用分電盤の取替え工事の際に，取付け場所における造営材からの電線の露出位置，即ち造営材の開口部の位置にかかわらず，容易に電線の引込み工事を行うことを可能とし，分電盤への電線の引込み作業性をより向上させることができ，なおかつ，造営材に電線が直接接触することを防止でき，電気的な信頼性をより向上させることができる住宅用分電盤用付属装置を提供することが可能となる。
【発明を実施するための最良の形態】
【００１５】
以下に本件発明の実施の形態に係る住宅用分電盤用の付属装置について，図面を参照しつつ詳細に説明する。
【００１６】
まず，本発明の第一の実施形態について説明を行う。図１は，本発明の住宅用分電盤用の付属装置の住宅用分電盤を取り付ける側（正面側という）からみた平面図，図２は該付属装置が造営材に取り付けられる側（造営材側という）からみた平面図，図３は該付属装置の正面側からみた斜視図である。図４は該付属装置に取り付けられる住宅用分電盤の斜視図，図５は該付属装置に取り付けられる住宅用分電盤１００の本体１１０の平面図である。図６は造営材に該付属装置を取り付ける場合の説明図，図７は該付属装置に住宅用分電盤を取り付ける場合の説明図である。
【００１７】
図１において，付属装置１の筐体外形は，分電盤１００の筐体本体１１０における造営材側の外形寸法と略同一の大きさに形成されており，略中央部には付属装置１の筐体の上下方向に筐体の一方から他方に亘って設けられたリブ４が設けられている。該リブ４は必要に応じて複数設けてもよい。また，該リブ４は，造営材に取り付けて電線を引込む際に電線と干渉するようであれば切り取って取り去る。
【００１８】
前記付属装置１の筐体にはリブ４によって二分割される開口部２が設けられている。該開口部２は，電線を引込む際に妨げにならない程度に所定の大きさを保って設けられている。また，該付属装置１の，正面側から造営材に向かう厚みは引込む電線の曲げを吸収できる程度に設けられている。
【００１９】
３は開口部２の周縁部から開口部の略中央部に向かって延設される複数個の突出部であり，各々の突出部は電線を貫通できる程度の間隔を有して形成されている。これらの突出部は薄板状であり，電線を貫通させる際に適宜撓んで電線の貫通作業を妨げないよう，弾性的に形成されている。
【００２０】
５は付属装置１を造営材に取付けるための付属装置取付け固定穴であり，ねじなどにより固定される。該取り付け固定穴５は筐体の略端部に合計６個設けられている。該取り付け固定穴５の数は適宜設けるとよい。
【００２１】
６は付属装置１に住宅用分電盤１００を取付ける住宅用分電盤取付け固定穴であり，住宅用分電盤１００を造営材に取付ける取付けねじが設けられる位置１１５と対応した位置に設けられ，本実施の形態においては，合計６箇所に設けられている。即ち，該住宅用分電盤取付け固定穴６が設けられている位置は，付属装置１と住宅用分電盤１００を組み合わせた際に，正面側から造営材側を臨む方向において，住宅用分電盤１００の造営材への取り付け部１１５を造営材側に投影させた位置に設けられている。
【００２２】
８はノックアウト構造にて形成された，付属装置１の筐体側面に設けられた電線引込み部である。既存の住宅用分電盤の施工場所や施工状態においては，電線が造営材の内側ではなく配線モールやダクトを用いて造営材の表面を伝って配線されている場合があるが，このような場合において，電線引込み部８を用いて，電線を住宅用分電盤１００へ引込む。
【００２３】
また，付属装置１は，前述したノックアウト構造にて形成された電線引込み部８の位置を，該付属装置１の天地方向を違えて造営材に取付けることにより１８０度変えた状態で用いることができる。
【００２４】
住宅用分電盤１００の天地方向は一定のため，該付属装置１の天地方向を違えて造営材に取付けた場合においても，住宅用分電盤１００を造営材に取付けるねじが設けられる位置１１５と対応する位置に住宅用分電盤取付け固定穴６が位置するように設けられている。
【００２５】
本実施の形態においては，付属装置１の天地方向の中心線ならびに水平方向の中心線に対して略対称に住宅用分電盤取付け固定穴６を設けて，該付属装置１の天地方向を違えて造営材に取付けた場合においても，住宅用分電盤１００を造営材に取付けるねじが設けられる位置１１５と対応する位置に住宅用分電盤取付け固定穴６が位置するように設けられている。
【００２６】
これにより，電線が造営材の内側ではなく配線モールやダクト３００を用いて造営材の表面を伝って配線されている場合において，その電線の住宅用分電盤１００への引込み方向が天から地（上側から下側）の方向，地から天（下側から上側）の方向どちらの場合においても施工が可能となり，住宅用分電盤単体の場合と比べて，電線の引込み施工性をより向上させることができる。
【００２７】
次に，付属装置１を造営材，及び，住宅用分電盤１００と取り付ける場合について説明を行う。
【００２８】
図６には，付属装置１を造営材に取り付ける場合の図を示している。この場合，従来設置されていた住宅用分電盤を一旦取り去った後に，従来設置されていた住宅用分電盤と略同位置に付属装置１を設置する。なお，ノックアウト構造にて形成された電線引込み部８は図中上側に配置する向きに設置している。まず，造営材側から露出している電線２００を突出部３同士の隙間に差し込むようにして電線を通して分電盤側に引き出す。そして取付け固定穴５を利用して造営材側にねじ止め固定する。
【００２９】
次に，図７に示されているように，付属装置１に住宅用分電盤１００を取り付ける。この場合，まず，付属装置１に設けられた住宅用分電盤取付け穴６と住宅用分電盤１００の造営材への取付け部１１５が合うように位置決めを行う。次に，前記住宅用分電盤の造営材への取付け部１１５に，ねじを通して，ねじ止め固定する。
【００３０】
なお，より取付けを容易にする方法として，住宅用分電盤取付け固定穴の一つである図中に示した６ａに，先にねじを仮止めしておき，該ねじ頭を，同じく住宅用分電盤に設けられている造営材への取付け部の一つであるだるま穴１１５ａにあてがい，引掛けるようにして位置決めし，住宅用分電盤を付属装置に取付けるとより容易に取付けを行うことができる。このときに，分電盤に設けられた電線引込み部に向けて電線を適宜曲げ処置して導く。曲げ処理の状態によっては電線が付属装置の筐体空間内で湾曲したり蛇行する状態となるが電線は突出部３があるため，直接には造営材に接触しない。分電盤１００の本体１１０を付属装置１に取り付け固定した後は，適宜主開閉器１１１及び，分岐開閉器１１２に配線を行う。
【００３１】
ノックアウト構造にて形成された電線引込み部８を図６において下側にして，造営材に取付けた場合においても，住宅用分電盤１００と付属装置１との取付けは同様に行うことができる。
【００３２】
次に造営材への電線接触防止手段の第二の実施形態について，図８，図９を用いて説明を行う。
【００３３】
図８は，本発明の第二の実施形態を示す住宅用分電盤用付属装置１１である。図９は，造営材に該付属装置１１と住宅用分電盤１００を取り付けた状態における付属装置の側面方向からみた場合の断面図である。なお符号が同じものは，第一の実施形態と同様の構成とする。造営材への電線接触防止手段は，開口部２の周縁部から突出する複数の突出部３１により構成される。該突出部３１は住宅用分電盤用付属装置１１を造営材に取り付けた際に，前記造営材と，該突出部３１との間に絶縁部材を差し込み可能な程度に隙間を設けて形成される。前記突出部３１は本実施の形態では３個設けられており，それぞれの突出部を３１ａ，３１ｂ，３１ｃとする。
【００３４】
前記絶縁部材３００は，絶縁材料で形成された厚さ数ミリメートル程度の板状のもので，その外形は開口部２の大きさに合わせて加工され，電線の引き込みの際に干渉する部分は切り取るなどして適宜形状を加工して用いる。
【００３５】
図８に示すように，突出部３１は，絶縁部材３００を造営材と突出部３１との隙間に差し込んだ際に，該絶縁部材３００が倒れてしまわないよう，該絶縁部材３００の一部と引掛かり保持するように形成されている。本実施の形態の場合，突出部３１ａと３１ｂの２箇所で絶縁部材３００を保持するよう設けられている。なお，突出部３１ｃは，住宅用分電盤用付属装置を上下逆に取り付けた場合には，絶縁部材３００の保持手段として用いられる。なお前記突出部３１の突出長さや幅は適宜設定するとよい。
【産業上の利用可能性】
【００３６】
以上説明したように，本発明の住宅用分電盤における付属装置は，住宅用分電盤の取替え工事の際における取替えの施工作業性を高めるとともに，電線の造営材への接触を防止して電気的な信頼性を向上できるものであるため，住宅用分電盤の耐用年数が経過したことによる取替え工事のほか，リフォームを行う場合や，さらには新設の場合においても作業性の向上，及び電気的な信頼性向上のため利用できる可能性がある。また，複数の電線引き込み用の開口部が住宅用分電盤に設けられており，電線の引き込み状態によっては使用しない開口部がある場合など，住宅用分電盤の電線引き込み用開口部に本発明を適用することにより，前記使用しない開口部から電線が露出して造営材に電線が直接接触することを防止したり，引き込んだ電線の曲げ処理状態によっては，造営材に電線が直接接触することを防止できるため，住宅用分電盤における電気的な信頼性を向上させることができる可能性がある。
【図面の簡単な説明】
【００３７】
【図１】本発明の第一の実施形態を示す正面から見た平面図である。
【図２】同造営材側から見た平面図である。
【図３】同正面側からみた斜視図である。
【図４】住宅用分電盤の斜視図である。
【図５】住宅用分電盤の本体の平面図である。
【図６】本発明における付属装置を造営材に取り付ける場合を示した図である。
【図７】本発明における付属装置を住宅用分電盤に取り付ける場合を示した図である。
【図８】本発明の第二の実施形態を示す住宅用分電盤用付属装置である。
【図９】造営材に該付属装置と住宅用分電盤を取り付けた状態における付属装置の側面方向からみた場合の断面図である。
【図１０】背景技術を説明した図。
【符号の説明】
【００３８】
１  付属装置
２  開口部
３  突出部
４  リブ
５  付属装置取付け固定穴
６  住宅用分電盤取付け固定穴
１００  住宅用分電盤
１１０  筐体本体
１１１  主開閉器
１１２  分岐開閉器
１１５  造営材へのねじ止め穴
２００  電線
３００  絶縁部材
【図１】
2007215326.tif 000003
【図２】
2007215326.tif 000004
【図３】
2007215326.tif 000005
【図４】
2007215326.tif 000006
【図５】
2007215326.tif 000007
【図６】
2007215326.tif 000008
【図７】
2007215326.tif 000009
【図８】
2007215326.tif 000010
【図９】
2007215326.tif 000011
【図１０】
2007215326.tif 000012